(57)【要約】【課題】   専用の補助器具を使用せず、ハードディスクドライブ保守の高速化及び効率化を図ることができるハードディスクドライブ取付構造及び電子機器を提供する。【解決手段】   本発明に係るハードディスクドライブ取付構造は、スペースと取出口を有する収納部と、収納部の両側に設けられる一対の弾性部と、一対のガイド部と、収納部の片側の側面に沿って移動可能に架設されるストッパ部と、ストッパ部を収納部に固定または固定解除するストッパ固定部と、を備えることで実現する。【選択図】      図１
2015106426.tif 000002
【特許請求の範囲】
【請求項１】
少なくとも一つのハードディスクドライブを収納するスペースと取出口を有する収納部と、
前記収納部の両側面に設けられ、前記収納部に収納される前記ハードディスクドライブの側面に圧接する少なくとも一対の弾性部と、
前記収納部の両側面に設けられ、前記ハードディスクドライブの収納と取出しをガイドする少なくとも一対のガイド部と、
前記収納部の少なくとも片方の側面に沿って移動可能に架設され、前記ハードディスクドライブの少なくとも２つの表面を、前記取出口の側で保持する保持部を含むストッパ部と、
前記ストッパ部を前記収納部に固定するとともに、その固定を解除するストッパ固定部と、を備えるハードディスクドライブ取付構造。
【請求項２】
前記収納部の後面側に止め固定部をさらに設け、前記止め固定部介して前記収納部を、電子部品を実装するマザーボードに装着する請求項１に記載のハードディスクドライブ取付構造。
【請求項３】
前記収納部の後面に、前記マザーボードに設けるインターフェースを内部に露出するためのインターフェース露出用穴が形成される請求項２に記載のハードディスクドライブ取付構造。
【請求項４】
前記収納部の後面は、前記マザーボードに実装される電子部品に密接する請求項２または３に記載のハードディスクドライブ取付構造。
【請求項５】
前記収納部の片方の側面に穴が開設され、
前記ストッパ部は、前記保持部を構成する少なくとも２つの保持面と、前記片方の側面に開設される穴を貫通して架設される他の面部とを有し、
前記ストッパ固定部は、前記他の面部を介して前記ストッパ部を前記収納部の側面側に保持する保持具を含む請求項１乃至４のいずれか１項に記載のハードディスクドライブ取付構造。
【請求項６】
前記ストッパ固定部から前記保持具に与える抑え力を弱めることにより、前記ハードディスクドライブの厚さに合わせて、前記ストッパ部を前記収納部の片方の側面に開設される前記穴に沿って上下方向に移動する請求項５に記載のハードディスクドライブ取付構造。
【請求項７】
前記ストッパ固定部から前記保持具に与える抑え力を強めることにより、前記ハードディスクドライブを前記収納部内に固定する請求項５または６に記載のハードディスクドライブ取付構造。
【請求項８】
前記収納部の両側面に前記ガイド部の下側に対称的に開設される少なくとも一対の開口部をさらに備える請求項１乃至７のいずれか１項に記載のハードディスクドライブ取付構造。
【請求項９】
前記請求項1〜８のいずれかに記載のハードディスクドライブ取付構造と、
前記ハードディスクドライブ取付構造を収納するケースと、
前記ハードディスクドライブ取付構造の前面側を覆う蓋部とを備える電子機器。
【請求項１０】
前記蓋部の裏側面に前記ハードディスクドライブ取付構造に取り付けたハードディスクドライブに対応して弾性部材を設ける請求項９に記載の電子機器。
【発明の詳細な説明】
【技術分野】
【０００１】
本発明は、ハードディスクドライブを内蔵した電子機器に関するものであり、詳しくは、ハードディスクドライブを電子機器の筐体内に確実に取り付けるための取付構造に関するものである。
【背景技術】
【０００２】
ハードディスクドライブとは、磁性体を塗布した円盤磁気ディスクを高速回転し、磁気ヘッドを移動することで、情報を記録し読み出す記憶装置の一種である。一般にハードディスクドライブは、大きい記憶容量を持ち、且つアクセス速度も比較的に高速であるため、パーソナルコンピュータ等の電子機器の補助記憶装置として広く使用されている。
【０００３】
ハードディスクドライブは金属製のディスクが複数枚内蔵されており、駆動モータで高速回転される。従って、金属製の磁気ディスクの回転と駆動モータの回転とによって、ハードディスクドライブは少なからず振動している。
【０００４】
また、ハードディスクドライブは転倒、落下等の外部から強い衝撃を受けた場合、ヘッドが磁気ディスクの表面に衝突してその表面に傷が付いたり、駆動モータ内のベアリングが変形したりしてデータの読み書きが不能となる場合がある。特に動作中の落下は、故障を引き起こしやすいため、強い衝撃を与えないように注意する必要がある。
【０００５】
さらに、落下したあとで希に正常に動作できたとしても、落下の衝撃で磁気ディスク面にできた傷がごみとなり、それがハードディスクドライブ全体に行き渡って破損する場合もある。
【０００６】
よって、それを防ぐため、ハードディスクドライブを電子機器の筐体内に確実に取り付ける必要がある。
【０００７】
また、ハードディスクドライブは、使用過程において故障する可能性も高く、消耗品として扱われる場合も多い。こうした障害の発生頻度を低減させるために、電子機器に加わる衝撃を吸収緩和できる構造といった取付構造の改良が行われているほか、障害発生時に、故障のハードディスクドライブを手間が掛からないように交換できる構造といった電子機器の改良も要望されている。
【０００８】
現在、パーソナルコンピュータ等の電子機器内にハードディスクドライブ（以下、ＨＤＤともいう）を取付ける構造には、箱型の取付筐体に、ネジ止めする構造や、専用の補助器具を使用して固定する構造が知られている。
【０００９】
例えば、特許文献１には、ハードディスクドライブ（ＨＤＤ）装置の着脱方向と直交する２方向(左右方向・上下方向)の固定を確実に行なうＨＤＤ装置の固定構造が開示されている。この固定構造では、複数のＨＤＤ装置が、ハードディスクアレイユニットに収容される。その固定構造に収容されるＨＤＤ装置は、そのＨＤＤ装置専用のインターフェース基板を使用し、ＨＤＤ本体をそのインターフェース基板にネジ止めによって固定した組体として構成される。
【００１０】
また、特許文献２には、ネジ止め不要なハードディスクドライブの着脱構造が開示されている。
【００１１】
この着脱構造において、ＨＤＤはネジを使用してシャーシに直接に取付られることではなく、ＨＤＤがそれ専用のガイド部に装着され、その専用ガイド部を介してシャーシ内に装着されるので、ＨＤＤを交換する際にＨＤＤをシャーシ内にネジでの固定を省いて取り付け、または取り外すことができる。
【００１２】
さらにまた、特許文献３には、ＨＤＤを筐体に着脱可能に設けられるＨＤＤ支持構造が開示されている。
【００１３】
この支持構造において、ＨＤＤはネジを使用して筐体内に直接に取付られることではなく、ＨＤＤをＨＤＤトレイに固定してＨＤＤユニットとなって筐体内に着脱されているので、ハードディスクドライブを交換する際にハードディスクドライブを筐体内にネジでの固定を省いて取り付け、または取り外すことができる。
【００１４】
さらにまた、特許文献４には、筐体の本体部の底部と蓋部の下面とに、この筐体内に収納される部品の下面と上面に圧接して、この部品を保持し外部からの振動を抑えるための複数の板バネあるいはスプリングからなる弾性体を配置した筐体内の部品保持構造が開示されている。
【００１５】
この保持構造において、板バネは、筐体の本体部の底部と蓋部の下面とに、長手方向と直交する方向に複数配置されているので、筐体の外部からの衝撃等の振動をこれらの板バネで確実に吸収することができ、筐体内の部品の損傷をより確実に防ぐことができる。
【先行技術文献】
【特許文献】
【００１６】
【特許文献１】特開２００６−３０２３５３号公報
【特許文献２】特開２０１３−００８３３９号公報
【特許文献３】特開２０１３−０７７３４３号公報
【特許文献４】特開２０００−３４９４５３号公報
【発明の概要】
【発明が解決しようとする課題】
【００１７】
しかしながら、特許文献１に記載されている固定構造におけるＨＤＤ装置は、ＨＤＤ本体とインターフェース基板を夫々ネジ止めによってに固定した組体となっているので、インターフェース基板を含む部品には専用の部品が必要となり、それの紛失・保守部品の生産停止等により、保守不能になるという問題があった。
【００１８】
また、特許文献２に記載されている着脱構造も、ＨＤＤを専用のガイド部に装着してから、シャーシ内に装着されているので、専用のガイド部が必要となり、それの紛失・保守部品の生産停止等により、保守不能になるという問題もあった。
【００１９】
さらにまた、特許文献３に記載されているＨＤＤ支持構造も、ＨＤＤをＨＤＤトレイに固定してＨＤＤユニットとなって筐体内に着脱されているので、専用のＨＤＤトレイが必要となり、それの紛失・保守部品の生産停止等により、保守不能になるという問題もあった。
【００２０】
さらにまた、特許文献４に記載されている筐体内の部品保持構造は、筐体の本体の底部と蓋部の下面に板バネを配置することにより、筐体の外部からの衝撃等の振動を当該板バネに吸収されることができるが、規格（サイズ）が異なるＨＤＤを取り付けるための構造について何も開示されていない。これは、上述の特許文献１乃至３にも対応する課題である。
【００２１】
また、ＨＤＤを筐体に十分に固定していないため、筐体の左右及び着脱方向からの衝撃等による振動を吸収することができないという問題があった。
【００２２】
本発明は、これらの課題に鑑みてなされたものであり、ハードディスクドライブ（ＨＤＤ）を筐体に取付する際、ＨＤＤを固定するための専用取付部品などを一切使わずに、筐体に十分な固定ができ、しかも規格が異なるＨＤＤを保守および交換が容易なように保持することができるＨＤＤの取付構造及びその構造を有する電子機器を提供することを主たる目的とする。
【課題を解決するための手段】
【００２３】
上記目的を達成するために、本発明のハードディスクドライブの取付構造は、少なくとも一つのハードディスクドライブを収納するスペースと取出口を有する収納部と、
前記収納部の両側面に設けられ、前記収納部に収納される前記ハードディスクドライブの側面に圧接する少なくとも一対の弾性部と、
前記収納部の両側面に設けられ、前記ハードディスクドライブの収納と取出しをガイドする少なくとも一対のガイド部と、
前記収納部の少なくとも片方の側面に沿って移動可能に架設され、前記ハードディスクドライブの少なくとも２つの表面を、前記取出口の側で保持する保持部を含むストッパ部と、
前記ストッパ部を前記収納部に固定するとともに、その固定を解除するストッパ固定部と、を備える。
【００２４】
また、本発明は、前記ハードディスクドライブ取付構造と、
前記ハードディスクドライブ取付構造を収納するケースと、
前記ハードディスクドライブ取付構造の前面側を覆う蓋部とを備える電子機器を提供する。
【発明の効果】
【００２５】
本発明によれば、ハードディスクドライブを固定するための専用部品を使用せず、異なる規格のハードディスクドライブを取付けることができ、保守の高速化及び効率化を図ることができるという効果が得られる。
【図面の簡単な説明】
【００２６】
【図１】本発明の実施形態に係るハードディスクドライブ取付構造の全体構造を示す斜視図である。
【図２】本発明の実施形態に係るハードディスクドライブ取付構造をマザーボードに取り付ける態様を示す説明図である。
【図３】本発明の実施形態に係るハードディスクドライブ取付構造をマザーボードに取り付けた状態を示す縦断面図である。
【図４Ａ】本発明の実施形態に係るハードディスクドライブ取付構造のストッパ部を示す正面図である。
【図４Ｂ】本発明の実施形態に係るハードディスクドライブ取付構造のストッパ部を示す背面図である。
【図５】本発明の実施形態に係るハードディスクドライブ取付構造に複数のハードディスクドライブを取り付ける態様を示す説明図である。
【図６Ａ】本発明の実施形態に係るハードディスクドライブ取付構造におけるストッパ部の移動及び固定の様子を示す斜視図である。
【図６Ｂ】本発明の実施形態に係るハードディスクドライブ取付構造におけるストッパ部の移動及び固定の様子を示す横断面図である。
【図７Ａ】本発明の実施形態に係るハードディスクドライブを前記ハードディスクドライブ取付構造に装着する様子を示す説明図である。
【図７Ｂ】本発明の実施形態に係るハードディスクドライブを前記ハードディスクドライブ取付構造に固定する様子を示す説明図である。
【図８】本発明の実施形態に係るハードディスクドライブ取付構造にハードディスクドライブを交換する態様を示す説明図である。
【図９】本発明の実施形態に係るハードディスクドライブ取付構造を取り付けた電子機器を示す斜視図である。
【図１０Ａ】ハードディスクドライブ取付構造を上方から見た時の力の掛かり方を示す説明図である。
【図１０Ｂ】ハードディスクドライブ取付構造を横から見た時の力の掛かり方を示す説明図である。
【発明を実施するための形態】
【００２７】
以下、本発明の実施の形態に係るハードディスクドライブ取付構造について、図面を参照して説明する。
【００２８】
最初に、本発明の実施の形態に係るハードディスクドライブ取付構造の主要な構成について説明する。
【００２９】
その主要な構成は、少なくとも一つのハードディスクドライブを収納するスペースと取出口を有する収納部と、収納部の両側面に設けられ、収納部に収納されるハードディスクドライブの側面に圧接する少なくとも一対の弾性部と、収納部の両側面に設けられ、ハードディスクドライブの収納と取出しをガイドする少なくとも一対のガイド部と、を含む。
【００３０】
さらに、主要な構成は、ハードディスクドライブを保持するためのストッパ部と、ストッパ固定部とを備える。
【００３１】
ストッパ部は、収納部の少なくとも片方の側面に沿って移動可能に架設される。またストッパ部は、ハードディスクドライブの少なくとも２つの表面を、取出口の側で保持する保持部を含む。ストッパ固定部は、ストッパ部を動かないよう収納部に固定するとともに、その固定を解除する。
【００３２】
上述の構成において、ストッパ部が収納部に対して移動可能に架設され、ハードディスクドライブが弾性部とストッパ固定部で固定されることにより、ハードディスクドライブを固定するための専用部品を使用せず、同インチで、メーカーによって厚みが違うハードディスクドライブを取付けることができる。これにより、保守の高速化及び効率化を図ることができるという効果が得られる。
【００３３】
図１は、本発明の実施形態に係るハードディスクドライブ取付構造の全体構造を示す斜視図である。
【００３４】
図１に示すように、ハードディスクドライブ取付構造１０２は、複数のハードディスクドライブ１０６を収容可能な箱形の収納部（以下、筐体とも言う）を有する構造体である。なお、筐体の形状は、図示のものに限定されず、複数のハードディスクドライブ１０６を取り付けることができるのであれば、他の形状であってもよい。
【００３５】
ハードディスクドライブ取付構造１０２は、前面側にハードディスクドライブ１０６の取出口となる開口が形成されており、後面側にマザーボード１０１が配置され、さらにその後面側に設けられる少なくとも一つのインターフェース露出用穴１０３が形成される。インターフェース露出用穴１０３は、マザーボード１０１に配置されるインターフェース１０４がそこから露出できるように開設されている。
【００３６】
また、ハードディスクドライブ取付構造１０２は、その後面側の角部近傍にハードディスクドライブ取付構造１０２をマザーボード１０１に固定するため、４つのネジ止め固定部１０５が形成されている。ネジ止め固定部１０５は、収納部をマザーボード１０１に装着する止め固定部として機能する。
【００３７】
なお、ハードディスクドライブ取付構造１０２は、マザーボード１０１にネジ止め固定部１０５で、ネジ止めされているが、これに限定されず、ハードディスクドライブ取付構造１０２の後面側の裏面とマザーボード１０１に設置されるチップセットの上表面側とを密接することができるのであれば、ハードディスクドライブ取付構造１０２を接着剤または溶接などの他の固定方法で、マザーボード１０１と一体に形成してもよい。
【００３８】
さらに、ハードディスクドライブ取付構造１０２の両側面に少なくとも二つ（一対）の板バネ部１０７が対称的に形成されている。一対の板バネ部１０７は、弾性部として機能する。ハードディスクドライブ１０６が取出口から取り付けられる際、一対板バネ部１０７は、ハードディスクドライブ１０６をハードディスクドライブ取付構造１０２の両側面の内側に向いて挟む応力を発生するように、ハードディスクドライブ取付構造１０２の開口側から奥方向に向いて内側に徐々に開きながら突出する。
【００３９】
なお、板バネ部１０７は、ハードディスクドライブ取付構造１０２の両側面の対応部分を奥方向後面側から切り出すことによって形成されているが、これに限定されず、弾力を発生できる材料であれば、別部品として取り付けてもよい。
【００４０】
また、ハードディスクドライブ取付構造１０２の両側面において、ハードディスクドライブ１０６を取り付ける際に、ハードディスクドライブ１０６をガイドするガイド部１０８が、板バネ部１０７の下側に対称的に設置されている。
【００４１】
ガイド部１０８は、その長手方向がマザーボード１０１の表面に対して垂直方向となる位置に固定され、ハードディスクドライブ１０６を挿入する時に、ガイドする。ガイド部１０８は、それ自体でハードディスクドライブ１０６の固定は行わず、下から支えるものであるが、それ自体で固定する機能を備えてもよい。
【００４２】
なお、ガイド部１０８は、ハードディスクドライブ１０６を下から支える役目を持つため、ハードディスクドライブ１０６の重みで変形しない厚みと強度を持つ必要がある。ガイド部１０８は、その厚み方向に移動可能なように、収納部（筐体）の側面に取り付けられてもよい。この場合、規格が異なるハードウェアドライブ１０６の後述するインターフェース（コネクタ）がインターフェース１０４に接続されるときの寸法差を吸収することができる。
【００４３】
また、ハードディスクドライブ取付構造１０２の両側面において、ガイド部１０８の下側に、エアフロー１０９（図１中の白抜き矢印の部分）を通すために、開口部１１０が対称的に開設されている。
【００４４】
さらに、ガイド部１０８の下側に設置される開口部１１０によってエアフロー１０９は、ハードディスクドライブ１０６から放出される熱をハードディスクドライブ取付構造１０２の外部に運ぶことができる。
【００４５】
また、ハードディスクドライブ取付構造１０２は、その片方の側面に少なくとも一つの長方形穴１１１（図１のハッチング部分）を開設し、少なくとも一つの直角形ストッパ部１１２が長方形穴１１１に架設している。直角形ストッパ部１１２は、一部が長方形穴１１１を貫通し、長方形穴１１１に沿って上下方向に移動することができる。直角型ストッパ部１１２は、ハードディスクドライブ１０６の少なくとも２つの表面（図１では前面と天面）を、取出口の側で保持する保持部を有する。
【００４６】
通常、ハードディスクドライブの厚さ１１６は、メーカーによって規格が決められていない。このため、直角形ストッパ部１１２が筐体の側面に対して自在に動くことにより、異なる規格のハードディスクドライブ１０６の固定を行うことができる。
【００４７】
長方形穴１１１の上下方向の長さ、及び長方形穴１１１に沿って直角形ストッパ部１１２を上下移動する領域は、ハードディスクドライブ取付構造１０２にハードディスクドライブ１０６を挿入または取り出すことができるように十分な余裕を持っている。
【００４８】
また、直角形ストッパ部１１２及び長方形穴１１１の形状については、ハードディスクドライブ取付構造１０２にハードディスクドライブ１０６を挿入または取り出すことができるのであれば、他の形状に形成されてもよい。
【００４９】
さらに、ハードディスクドライブ取付構造１０２は、その片方の側面に少なくとも一つのネジ用穴１１４を有する円弧断面形状のストッパ部固定用チューブ１１３を設置している。そして、ストッパ部固定用チューブ１１３は、ネジ用穴１１４を介して直角形ストッパ部１１２をハードディスクドライブ取付構造１０２の片側に固定するストッパ部固定用ネジ１１５を設置している。ストッパ部固定用ネジ１１５は、直角型ストッパ部１１２を収納部の側面側に保持する保持具として機能する。
【００５０】
これらの構成によって、直角形ストッパ部１１２が長方形穴１１１に沿って図の上方向に移動すると、ハードディスクドライブ１０６がガイド部１０８に沿って挿入される。これにより、ハードディスクドライブ１０６のインターフェース（図示せず）はインターフェース１０４に接続する。この状態では、さらに、二つの板バネ部１０７はハードディスクドライブ１０６の側面を両側から挟むように保持する。
【００５１】
また、直角形ストッパ部１１２が長方形穴１１１に沿って図の下方向に移動すると、直角型ストッパ部１１２は、ハードディスクドライブ１０６の少なくとも２つの表面を、取出口の側で保持するようになる。この時、ストッパ部固定用ネジ１１５を締めることにより、ハードディスクドライブ１０６はハードディスクドライブ取付構造１０２に固定される。
【００５２】
図２は、本発明の実施形態に係るハードディスクドライブ取付構造をマザーボードに取り付ける態様を示す説明図である。
【００５３】
図２に示すように、マザーボード１０１の片側面にハードディスクドライブ取付構造１０２を固定するために、ハードディスクドライブ取付構造１０２の後面に設けられるネジ止め固定部１０５に対応する位置と対称的に４つのネジ止め受け部２０１が形成されている。
【００５４】
ハードディスクドライブ取付構造１０２は、ネジ止め固定部１０５とネジ止め受け部２０１とでマザーボード１０１に取り付けるができる。
【００５５】
なお、ネジ止め固定部１０５とネジ止め受け部２０１は、それぞれの数を４つとして説明したが、ハードディスクドライブ取付構造１０２をマザーボード１０１に装着することができるのであれば、その数を限定せず、４つより多い、または少ない数でもよい。
【００５６】
また、マザーボード１０１に設置される４つのネジ止め受け部２０１を結ぶ線分の内側範囲内であって、ハードディスクドライブ取付構造１０２の後側面に形成されるインターフェース露出用穴１０３に対応する位置に、少なくとも一つのインターフェース１０４が実装される。
【００５７】
インターフェース１０４は、マザーボード１０１に設置されるハードディスクドライブ１０６と接続するインターフェースであり、且つハードディスクドライブ１０６を動作する電源も供給される。例えば、ＳＡＴＡ（Serial ATA（Advanced Technology Attachment））やＳＡＳ（Serial Attached SCSI（Small Computer System Interface））に基づいたものを想定される。
【００５８】
また、インターフェース１０４は、ハードディスクドライブ取付構造１０２がマザーボード１０１に固定された時に、ハードディスクドライブ取付構造１０２に開設されるインターフェース露出用穴１０３から露出されてハードディスクドライブ１０６のインターフェースに当接して接続される。
【００５９】
さらに、マザーボード１０１に形成される４つのネジ止め受け部２０１を結ぶ線分の内側範囲内であって、且つインターフェース１０４の隣りに、少なくとも一つのチップセット２０２が実装されている。
【００６０】
図３は、本発明の実施形態に係るハードディスクドライブ取付構造をマザーボードに取り付けた状態を示す縦断面図である。
【００６１】
図３に示すように、チップセット２０２は、ハードディスクドライブ取付構造１０２の後側面（後面板）下側に位置する。
【００６２】
さらに、チップセット２０２は、ハードディスクドライブ取付構造１０２の後面板に密着し、チップセット２０２から放出される熱をハードディスクドライブ取付構造１０２を介して外部に放出することができる。
【００６３】
また、ハードディスクドライブ取付構造１０２は、マザーボード１０１に直接に装着されるので、通常電子機器の中でハードディスクドライブを格納するための専用の装着用場所を省くことができる。
【００６４】
図４Ａは、直角型ストッパ部１１２を示す正面図であり、図４Ｂは、直角型ストッパ部１１２を示す背面図である。
【００６５】
図４Ａまたは図４Ｂに示すように、直角型ストッパ部１１２は、直角形（Ｌ字型）に形成されている。直角型ストッパ部１１２は、ストッパ前固定面４０１、ストッパ上固定面４０２及びストッパ縦固定面４０３を有する金属製の部品を想定している。ストッパ前固定面４０１およびストッパ上固定面４０２は、ハードディスクドライブの少なくとも２つの表面を、取出口の側で保持する保持部として機能する。ストッパ縦固定面４０３は、長方形穴１１１を貫通して架設される他の面部として機能する。
【００６６】
なお、直角型ストッパ部１１２は、ハードディスクドライブ１０６を保持する強度があるものであれば、他の材料で形成してもよい。
【００６７】
直角型ストッパ部１１２の３つの固定面のうち、ストッパ縦固定面４０３は、図１に示すようにストッパ固定用ネジ１１５を締め、または緩めることにより、直角形ストッパ部１１２を長方形穴１１１に沿って所定の可動領域に上下方向に移動させることができる。なお、この構成については図６Ａ、図６Ｂを参照して後述する。
【００６８】
図５は、本発明の実施形態に係るハードディスクドライブ取付構造に複数のハードディスクドライブを取り付ける態様を示す説明図である。
【００６９】
図５に示すように、複数のハードディスクドライブ１０６の数に応じて、板バネ部１０７、ガイド部１０８、開口部１１０は、前述したように、ハードディスクドライブ取付構造１０２の両側に等間隔で対称的に設置される。
【００７０】
また、複数のハードディスクドライブ１０６の数に応じて、インターフェース露出用穴１０３はハードディスクドライブ取付構造１０２の後面側に等間隔で開設される。
【００７１】
さらに、複数のハードディスクドライブ１０６の数に応じて、長方形穴１１１及び直角形ストッパ部１１２が前記ハードディスクドライブ取付構造１０２の片側に等間隔で設けられる。
【００７２】
これらの構成により、本実施の形態では、複数のハードディスクドライブ１０６をハードディスクドライブ取付構造１０２内に固定する、またはハードディスクドライブ取付構造１０２から取り出すことができる。
【００７３】
図６Ａは、本発明の実施形態に係るハードディスクドライブ取付構造におけるストッパ部１１２の移動及び固定の様子を示す斜視図である。
【００７４】
図６Ａに示すように、ストッパ部固定用チューブ１１３は、ハードディスクドライブ取付構造１０２に外部部品としてネジ止めなどで取り付けられる金属部品である。なお、図６Ａでは、説明のために長方形穴１１１およびストッパ縦固定面４０３が実線で示されているが、これらはストッパ部固定用チューブ１１３の内部に配置される。直角形ストッパ部１１２を保持する強度があるものであれば、他の材料の部品でもよい。
【００７５】
直角形ストッパ部１１２のストッパ縦固定面４０３を長方形穴１１１に沿って、上下方向に移動した後の位置に固定するため、ストッパ部固定用チューブ１１３に、ストッパ縦固定面４０３に抑え力を与えるストッパ部固定ネジ１１５を螺合するネジ穴６０１が開設されている。また、ストッパ部固定用チューブ１１３に形成されるネジ穴６０１はストッパ縦固定面４０３に対向する位置に開設されている。ストッパ部固定ネジ１１５とストッパ部固定用チューブ１１３は、ストッパ固定部として機能する。
【００７６】
なお、直角形ストッパ部１１２の上下方向の可動領域６０２は、ハードディスクドライブ１０６を開放し、取り外し可能とする領域６０３と、ハードディスクドライブ１０６を固定し、取り外し防止とする領域６０４とを含む。直角形ストッパ部１１２は、それらの領域内に自由に上下移動することができる。即ち、異なるハードディスクドライブ１０６の厚さ１１６に合わせて上下方向に調整することができる領域である。
【００７７】
図６Ｂは、本発明の実施形態に係るハードディスクドライブ取付構造におけるストッパ部の移動及び固定の様子を示す横断面図である。
【００７８】
図６Ｂに示すように、ストッパ部固定ネジ１１５は、ネジ山６０６と先端部分の固定面６０７を有する。ネジ山６０６をネジ穴６０１に挿入してネジ締めすることにより、固定面６０７がハードディスクドライブ取付構造１０２に開設される長方形穴１１１に架設するストッパ縦固定面４０３に当接する。
【００７９】
ハードディスクドライブ１０６をハードディスクドライブ取付構造１０２に挿入する場合、ストッパ固定用ネジ１１５を締めることにより、ストッパ固定用ネジ１１５からストッパ縦固定面４０３に抑え力を与え、ストッパ縦固定面４０３をハードディスクドライブ取付構造の片側に固定すると共に、ストッパ固定面４０１とストッパ上固定面４０２とは、ハードディスクドライブ１０６の後部の天面と前面の一部に当接してハードディスクドライブ１０６をハードディスクドライブ取付構造１０２に固定することができる。
【００８０】
ネジ山６０６のネジ穴６０１へのネジ締め量の大小により、ストッパ部固定ネジ１１５は、ストッパ縦固定面４０３に与える抑え力の大小を調整することができる。
【００８１】
この構成により、直角形ストッパ部１１２が図６Ａに示す領域６０３と６０４のいずれの場合に位置しても、ストッパ部固定ネジ１１５を締めることにより、ストッパ部固定ネジ１１５の固定面６０７は、ストッパ縦固定面４０３に当接して抑え力を与えることができる。この結果、直角形ストッパ部１１２の固定位置を調整することができる。
【００８２】
この場合、直角形ストッパ部１１２が領域６０３に位置する際に、直角形ストッパ部１１２を固定することにより、ハードディスクドライブ取付構造１０２に取り付けているハードディスクドライブ１０６を挿入または取り出すことができる。
【００８３】
さらに、直角形ストッパ部１１２が領域６０４に位置する際に、直角形ストッパ部１１２を固定することにより、ハードディスクドライブ取付構造１０２に取り付けているハードディスクドライブ１０６を固定することができる。
【００８４】
一方、直角形ストッパ部１１２を可動領域６０２内に上下方向に移動する際に、ストッパ部固定ネジ１１５を緩めることにより、ストッパ部固定ネジ１１５の固定面６０５は、直角形ストッパ部１１２のストッパ縦固定面４０３から離れて抑え力を弱くし、または与えなくなることにより、直角形ストッパ部１１２が可動領域６０２内に上下方向に移動することができる。
【００８５】
これにより、ハードディスクドライブ１０６をハードディスクドライブ取付構造１０２から取り出すことができると共に、ハードディスクドライブ１０６をハードディスクドライブ取付構造１０２に挿入することもできる。
【００８６】
図７Ａは、本発明の実施形態に係るハードディスクドライブ１０６をハードディスクドライブ取付構造１０２に装着する様子を示す説明図である。
【００８７】
図７Ａに示すように、ストッパ固定ネジ１１５を緩めて、直角形ストッパ部１１２を領域６０３まで上げてから固定し、ハードディスクドライブ１０６をガイド部１０８に沿って、ハードディスクドライブ取付構造１０２の後面側に開設されるインターフェース露出用穴１０３から露出したインターフェース１０４に接続するまで挿入し、ハードディスクドライブ取付構造１０２の両側に設置される板バネ部１０７の応力によって、ぐらつきが発生しない状態で挟む。
【００８８】
図７Ｂは、本発明の実施形態に係るハードディスクドライブ１０６をハードディスクドライブ取付構造１０２に固定する様子を示す説明図である。
【００８９】
図７Ｂに示すように、ハードディスクドライブ取付構造１０２において、直角形ストッパ部１１２を下方向に領域６０４まで移動してから、ストッパ固定ネジ１１５を締めることにより、ストッパ固定面４０１とストッパ上固定面４０２とは、ハードディスクドライブ１０６の後部の上面と前面の一部に当接してハードディスクドライブ１０６を固定することができる。
【００９０】
図８は、本発明の実施形態に係るハードディスクドライブ取付構造にハードディスクドライブを交換する態様を示す説明図である。
【００９１】
図８に示すように、ハードディスクドライブ１０６を保守する際に、図に示さないが、先ず、ストッパ固定ネジ１１５を緩めることにより、直角形ストッパ部１１２を上方向に領域６０３まで移動して固定することにより、交換作業員の手８０１で、交換したいハードディスクドライブ１０６をハードディスクドライブ取付構造１０２から取り出す。
【００９２】
次に、交換作業員の手８０１で、新たなハードディスクドライブ１０６をガイド部１０８に沿って、インターフェース１０４に接続するまで挿入する。
【００９３】
また、ストッパ固定ネジ１１５を緩めて、新たなハードディスクドライブ１０６の縦幅に合わせて、直角形ストッパ部１１２を下方向に領域６０４まで移動して、の直角形ストッパ部１１２のストッパ前固定面４０１とストッパ下固定面４０１が新たなハードディスクドライブ１０６を抑える。
【００９４】
次に、ストッパ固定ネジ１１５を締めて、新たな前記ハードディスクドライブ１０６をハードディスクドライブ取付構造１０２に固定する。
【００９５】
これによって、ハードディスクドライブ１０６の交換作業が完了する。
【００９６】
図９は、本発明の実施形態に係るハードディスクドライブ取付構造を取り付けた電子機器を示す斜視図である。
【００９７】
図９に示すように、ハードディスクドライブ取付構造１０２を使用する電子機器９０１は、メンテナンス等で内部にアクセスする際に取り外す蓋部９０４と、開口部９０２、ケース９０５とを有する。
【００９８】
ハードディスクドライブ取付構造１０２は、マザーボード１０１（図示せず）に装着され、電子機器９０１のケース９０５内の蓋部９０４が閉まる位置に置かれている。
【００９９】
蓋部９０４の裏側には、ハードディスクドライブ取付構造１０２に収容されているハードディスクドライブ１０６の数に合わせて、同数の板バネ部９０６が設置される。板バネ部９０６は、蓋部９０４を閉める際にそれぞれのハードディスクドライブ１０６に当接する。
【０１００】
これにより、蓋部９０４を閉めるときに、ハードディスクドライブ取付構造１０２に取り付けるハードディスクドライブ１０６は板バネ部９０６によって押えられる。
【０１０１】
また、ハードディスクドライブ取付構造１０２に開設される開口部１１０に合わせて、電子機器９０１の対応片側、または両側に同数の開口部９０２を開設されている。
【０１０２】
開口部９０２は、ハードディスクドライブ取付構造１０２に開設される開口部１１０から流されるエアフロー１０９を電子機器９０１の外部に放出することができる。
【０１０３】
図１０Ａ及び図１０Ｂは、本発明の実施形態に係るハードディスクドライブ取付構造にハードディスクドライブを固定する箇所の力の掛かり方を示す説明図である。
【０１０４】
このうち、図１０Ａは、ハードディスクドライブ取付構造１０２を上方から見た力の掛かり方を示す説明図である。
【０１０５】
図１０Ａに示すように、ハードディスクドライブ取付構造１０２にハードディスクドライブ１０６を固定する時に、ハードディスクドライブ１０６に掛かる力点は、インターフェース面力点１００１、両側の板バネ部力点１００２、ストッパ固定ネジ１１５が直角形ストッパ部１１２を押える力点１００３、直角形ストッパ部１１２のストッパ前固定面４０１（図示せず）、およびハードディスクドライブ取付構造１０２を覆う蓋部９０４により固定される直角形ストッパ部１１２力点１００４、及び蓋部９０４と板バネ部９０６による蓋部力点１００５である。
【０１０６】
図１０Ｂは、ハードディスクドライブ取付構造１０２を横から見た力の掛かり方を示す説明図である。
【０１０７】
図１０Ｂに示すように、蓋部９０４を閉めた際、ハードディスクドライブ取付構造１０２にハードディスクドライブ１０６を固定する時に、ハードディスクドライブ１０６に掛かる力点は、インターフェース面力点１００１、直角形ストッパ部１１２のストッパ前固定面４０１、およびハードディスクドライブ取付構造１０２を覆う蓋部９０４により固定される直角形ストッパ部１１２力点１００４、蓋部９０４と板バネ部９０６（図示せず）による蓋部力点１００５、及びハードディスクドライブ１０６が上方向に移動しないように押える直角形ストッパ部１１２のストッパ上固定面４０２力点１００６である。
【０１０８】
これらの力点の働きにより、ハードディスクドライブ１０６は、ハードディスクドライブ取付構造１０２を覆う蓋部９０４が開放される時でも、直角形ストッパ部１１２が固定されれば、ハードディスクドライブ１０６を固定することができる。
【０１０９】
以上のように、本発明の実施の形態を説明したが、上記については単に本発明の原理を示すものである。本発明は上記に示して説明した構成および実施形態に限定されるものではなく、さらに、多数の変形、変更が当業者にとって可能である。
【産業上の利用可能性】
【０１１０】
本発明のハードディスクドライブ取付構造は、一般的なタワー型パーソナルコンピュータ、ワークステーション、およびサーバーなど、各種ハードディスクドライブを使用する電子機器に使用することができる。
【０１１１】
付記
上記の実施形態の一部又は全部は、以下の付記のように記載することも可能である。但し、実際には、以下の記載に限定されない。
（付記１） 
少なくとも一つのハードディスクドライブを収納するスペースと取出口を有する収納部と、
前記収納部の両側面に設けられ、前記収納部に収納される前記ハードディスクドライブの側面に圧接する少なくとも一対の弾性部と、
前記収納部の両側面に設けられ、前記ハードディスクドライブの収納と取出しをガイドする少なくとも一対のガイド部と、
前記収納部の少なくとも片方の側面に沿って移動可能に架設され、前記ハードディスクドライブの少なくとも２つの表面を、前記取出口の側で保持する保持部を含むストッパ部と、
前記ストッパ部を前記収納部に固定するとともに、その固定を解除するストッパ固定部と、を備えるハードディスクドライブ取付構造。
（付記２）
前記収納部の後面側に止め固定部をさらに設け、前記止め固定部介して前記収納部を、電子部品を実装するマザーボードに装着する付記１に記載のハードディスクドライブ取付構造。
（付記３）
前記収納部の後面に、前記マザーボードに設けるインターフェースを内部に露出するためのインターフェース露出用穴が形成される付記２に記載のハードディスクドライブ取付構造。
（付記４）
前記収納部の後面は、前記マザーボードに実装される前記電子部品に密接する前記付記２または３に記載のハードディスクドライブ取付構造。
（付記５）
前記収納部の片方の側面に穴が開設され、
前記ストッパ部は、前記保持部を構成する少なくとも２つの保持面と、前記片方の側面に開設される穴を貫通して架設される他の面部とを有し、
前記ストッパ固定部は、前記他の面部を介して前記ストッパ部を前記収納部の側面側に保持する保持具を含む付記１乃至４のいずれか１項に記載のハードディスクドライブ取付構造。
（付記６）
前記ストッパ固定部から前記保持具に与える抑え力を弱めることにより、前記ハードディスクドライブの厚さに合わせて、前記ストッパ部を前記収納部の片方の側面に開設される前記穴に沿って上下方向に移動する付記５に記載のハードディスクドライブ取付構造。
（付記７）
前記ストッパ固定部から前記保持具に与える抑え力を強めることにより、前記ハードディスクドライブを前記収納部内に固定する付記５または６に記載のハードディスクドライブ取付構造。
（付記８）
前記収納部の両側面に前記ガイド部の下側に対称的に開設される少なくとも一対の開口部をさらに備える付記１乃至７のいずれか１項に記載のハードディスクドライブ取付構造。
（付記９）
前記付記1〜８のいずれかに記載のハードディスクドライブ取付構造と、
前記ハードディスクドライブ取付構造を収納するケースと、
前記ハードディスクドライブ取付構造の前面側を覆う蓋部とを備える電子機器。
（付記１０）
前記蓋部の裏側面に前記ハードディスクドライブ取付構造に取り付けたハードディスクドライブに対応して弾性部材を設ける付記９に記載の電子機器。
（付記１１）
前記ハードディスクドライブ取付構造をマザーボードに装着する付記９または１０に記載の電子機器。
（付記１２）
前記ケースの両側面、または片側面に少なくとも一つの開口部を開設する付記９乃至１１のいずれか一つに記載の電子機器。
【符号の説明】
【０１１２】
１０１  マザーボード
１０２  ハードディスクドライブ取付構造
１０３  インターフェース露出用穴
１０４  インターフェース
１０５  ネジ止め固定部
１０６  ハードディスクドライブ
１０７  板バネ部
１０８  ガイド部
１０９  エアフロー
１１０  開口部
１１１  長方形穴
１１２  直角形ストッパ部
１１３  ストッパ部固定用チューブ
１１４  螺子穴
１１５  ストッパ部固定螺子
２０１  ネジ止め受け部
２０２  チップセット
４０１  ストッパ前固定面
４０２  ストッパ上固定面
４０３  ストッパ縦固定面
６０１  螺子穴
６０２  可動領域
６０３  開放・取り外す可能領域
６０４  固定・取り外す防止領域
６０６  ネジ山
６０７  固定面
８０１  作業員の手部
９０１  電子機器
９０２  開口部
９０３  蓋部
９０４  板バネ部
１００１  インターフェース面力点
１００２  板バネ部力点
１００３  直角形ストッパ部を抑える力点
１００４  直角形ストッパ部力点
１００５  蓋部力点
１００６  ストッパ上固定面力点
【図１】
2015106426.tif 000003
【図２】
2015106426.tif 000004
【図３】
2015106426.tif 000005
【図４Ａ】
2015106426.tif 000006
【図４Ｂ】
2015106426.tif 000007
【図５】
2015106426.tif 000008
【図６Ａ】
2015106426.tif 000009
【図６Ｂ】
2015106426.tif 000010
【図７Ａ】
2015106426.tif 000011
【図７Ｂ】
2015106426.tif 000012
【図８】
2015106426.tif 000013
【図９】
2015106426.tif 000014
【図１０Ａ】
2015106426.tif 000015
【図１０Ｂ】
2015106426.tif 000016